(57)【特許請求の範囲】
【請求項１】
遊技部内に複数の入球口を設け、遊技者が所定数の打球を遊技部内に弾発し、この打球が入球した入球口の組み合わせが予め定めた所定の組み合わせとなった場合に、遊技者に対して特定の利益を与えるアレンジ式弾球遊技機において、
複数の入球口の前面に配置され、各入球口にそれぞれ対応して同一平面上に横並びに並んだ複数の発光装置と、
前記各発光装置を内部に収納するとともに、それぞれの発光装置を個別に離隔するための区画壁、該区画壁に囲まれた上面を塞ぐ上面壁及び発光装置の前面部分に開口した前面開口とを有する収納部材と、
該収納部材の前面開口を塞ぐように取り付けた透光性を有するフィルムと、
該フィルムの表面の各発光装置に対応する位置にフィルムと一体に設けた、発光装置からの光を拡散するためのレンズ部とからなる入球表示部を設け、
前記フィルムには、前記区画壁の前面開口側の端面と対向する位置に、各発光装置からの光が互いに干渉するのを防止するために、発光装置からの光を透過させない遮光部を形成したことを特徴とするアレンジ式弾球遊技機。
【発明の詳細な説明】
【０００１】
【産業上の利用分野】
本発明は、アレンジ式弾球遊技機に関し、特に打球が入球した入球口の組み合わせの表示を遊技者にとって見易く表示できるようにしたものである。
【０００２】
【従来の技術】
従来、この種のアレンジ式弾球遊技機は、遊技部内に複数の入球口を設け、遊技者が所定数の打球を遊技部内に弾発し、この打球が入球した入球口の組み合わせが予め定めた所定の組み合わせとなった場合に、遊技者に対して特定の利益、例えば賞としてメダルや遊技球を払い出していた。
【０００３】
また、打球が入球した入球口の組み合わせは、所定の位置に設けた入球表示部により表示されていた。この入球表示部は、透光性を有するパネルの表面に、入球口に対応する複数の数字が表示されており、入球口に打球が入球すると、対応する数字部分が遊技機内部に設けたランプ等の照明装置により照明されるものである。
【０００４】
【発明が解決しようとする課題】
しかし、上記した従来のアレンジ式弾球遊技機では、打球が入球した入球口の組み合わせを表示するための入球表示部は、透光性を有するパネルを遊技機内部に設けた照明装置により照明するだけであった。
したがって、入球表示部の表示が単調なものとなり、遊技者に対してどの入球口に入球したのかを印象付けることが困難であった。このため、遊技が単調なものとなり遊技の興趣を損ねることとなっていた。また、遊技者は、どの入球口に打球が入球したのかをはっきりと認識しないまま遊技を行い、打球が入球した入球口の組み合わせが所定の組み合わせとなる可能性を有するにもかかわらず、この状態を見逃してしまい、遊技の興趣を損ねるという問題点もあった。
【０００５】
そこで、本発明は、上記した従来の技術の有する問題点に鑑み提案されたものであり、その目的とするところは、打球が入球した入球口の組み合わせの表示を遊技者にとって見易く表示するとともに、この表示を遊技者にアピールすることができるアレンジ式弾球遊技機を提供することにある。
【０００６】
【課題を解決するための手段】
本発明は、上記した目的を達成するためのものであり、以下にその内容を図面に示した実施例を用いて説明する。
請求項１記載の発明は、遊技部40内に設けられた複数の入球口の前面に配置され、各入球口にそれぞれ対応して同一平面上に横並びに並んだ複数の発光装置(80…)と、前記各発光装置(80…)を内部に収納するとともに、それぞれの発光装置(80)を個別に離隔するための区画壁(91…)、該区画壁(91…)に囲まれた上面を塞ぐ上面壁及び発光装置(80…)の前面部分に開口した前面開口とを有する収納部材(90)と、該収納部材(90)の前面開口を塞ぐように取り付けた透光性を有するフィルム(100)と、該フィルム(100)の表面の各発光装置(80)に対応する位置にフィルム(100)と一体に設けた、発光装置(80)からの光を拡散するためのレンズ部(101)とからなる入球表示部(60)を設け、前記フィルム(100)には、前記区画壁(91…)の前面開口側の端面と対向する位置に、各発光装置(80)からの光が互いに干渉するのを防止するために、発光装置(80)からの光を透過させない遮光部(102)を形成したことを特徴とする。
【０００７】
【作  用】
請求項１記載の発明によれば、遊技者が遊技部内に弾発した打球が入球口に入球すると、入球表示部(61)では、入球口にそれぞれ対応して設けた発光装置(80)が発光する。この発光装置(80…)の前面側には透光性を有するフィルム(100)が取り付けてあるので、発光装置(80)が発光すると、このフィルム(100)を後方から照明することになる。そして、フィルム(100)の前面にはレンズ部(101…)が設けてあるので、各発光装置(80)から発せられた光は、このレンズ部(101…)により拡散されて、遊技者に届く。また、発光装置(80…)は、収納部材(90)内に収納されており、それぞれの発光装置(80)は収納部材(90)内に設けた区画壁(91)により個別に離隔されているので、それぞれの発光装置(80)の位置にあるフィルム(100)のレンズ部(101)のみを照明することができる。
【０００８】
したがって、打球が入球した入球口の組み合わせを表示する入球表示部(60)では、各発光装置(80)から発せられた光は、レンズ部(101)を介して外部に出力されることから、各発光装置(80)からの光は、拡散されて柔らかい光となるとともに、表示に立体感を持たせることができ、入球表示を遊技者にとって見易く、かつ印象的に表示することが可能となる。
また、区画壁(91…)に囲まれた上面を、上面壁で各々塞いだことにより、各発光装置(80…)からの光が上方に漏れることなく、前面に集中するから、それぞれの発光装置(80)の前面にあるフィルム(100)のレンズ部(101)のみを照明することができる。
また、前記フィルム(100)には、前記区画壁(91…)の前面開口側の端面と対向する位置に、各発光装置(80)からの光が互いに干渉するのを防止するために発光装置(80)からの光を透過しない遮光部(102)が形成されているから、例えフィルムが発光装置からの熱などにより膨張し、区画壁(91…)の端面とフィルム(100)との間に僅かな隙間が生じたとしても、フィルム(100)の遮光部(102)によって光の透過が妨げられるから、他の発光装置(80)が照明すべきフィルム(100)の範囲まで光が漏れることはない。
【０００９】
【実施例】
図１〜３は、本発明の一実施例を示すものであり、図１は本発明に係るアレンジ式弾球遊技機の入球表示部の斜視図、図２はアレンジ式弾球遊技機の概略正面図、図３は入球表示部の横断面図を各々示す。
図２中、10はアレンジ式弾球遊技機を示すものであって、このアレンジ式弾球遊技機10は、前面中央に位置する打球が流下する遊技盤20と、この遊技盤20の下方に位置し、遊技盤20に打球を弾発するための打球発射装置30とを備える。
【００１０】
前記遊技盤20には、図２に示すように、打球が流下する遊技部40と、この遊技部40の下方に位置し、流下した打球が入球する入球部50とから構成されている。上記遊技盤20は、ガイドレール（図示せず）で囲まれた遊技部40を備え、この遊技部40の表面には、複数の釘が打設され、遊技部40内を流下する遊技球は、釘に当たって、その流下方向に変化が与えられる。
【００１１】
上記入球部50には、遊技部40内を流下してきた打球が入球する入球口（図示せず）が１６個、開口を上方に向けて設けられている。また、入球部の前面には打球が入球した入球口を示すための入球表示部60が設けられている。
そして、遊技者が打球発射装置30を操作して所定数の打球、例えば一遊技において１６発の打球を遊技部40内に弾発し、この打球が入球した入球口の組み合わせが予め定めた所定の組み合わせとなった場合に、遊技者に対して特定の利益、例えば賞として遊技球を払い出していた。
【００１２】
上記入球表示部60は、図１に示すように、遊技機の前面に取り付けるフロントパネル70に投光性を有するインジェクション板71を設け、このインジェクション板71の後方に発光装置80…を内部に収納した収納部材90を取り付けるとともに、インジェクション板71の前方にフィルム100を取り付けたものである。
上記各発光装置80は、図２に示すように、基板81の前面に横並びに並んで配置されたＬＥＤからなり、それぞれのＬＥＤは遊技部40内に設けた複数の入球口に対応して設けてある。本実施例では、入球口を１６カ所設けてあるので、発光装置80…も１６個のＬＥＤから構成してある。遊技部40内に弾発した打球が入球口に入球すると、対応する発光装置80が発光して、入球した入球口を遊技者に知らせることができる。なお、発光装置80はＬＥＤに限られず、フィルム100を裏側から照明できればどのような部材でもよく、例えば、ランプを用いてもよい。
【００１３】
上記した発光装置80を内部に収納する収納部材90は、図１に示すように、断面ロ字形の枠形をなし、この枠形の中空内部を縦方向に１５枚の区画壁91…により左右に区画して、それぞれの発光装置80を収納する１６個の収納室92…を形成してある。各発光装置80は、図１,３に示すように、区画壁91…により離隔されているので、隣に並設された他の発光装置80からの光に干渉されることなく、各発光装置80の前方のみを照明することができる。
【００１４】
上記したフィルム100は、透光性を有する、例えばレキサンフィルムからなり、フィルム100の表面にレンズ部101を形成し、フィルム100の裏面に遮光部102を形成してある。
このレンズ部101は、図３に示すように、フィルム100の表面から盛り上がった凸レンズ状をなしており、各発光装置80に対応する位置に設けられている。したがって、本実施例では、図１に示すように、フィルム100の表面に１６個のレンズ部101…が横並びに形成されている。
【００１５】
このレンズ部101を形成するには、硬化時に透光性を有する塩化ビニールやシリコン樹脂等の塗料をフィルム100の表面に塗布する、いわゆるポティング加工を行えばよい。フィルム100の表面に塗料を塗布すると、塗布した塗料は表面張力により凸レンズ状に盛り上がり、塗料が乾くことによりレンズ部101を形成するのである。
【００１６】
したがって、レンズ部101は、印刷等の簡便な手段によりフィルム100と一体に形成されているので、フィルム100表面にいちいちレンズを取り付ける等の面倒な手間を要せず、入球表示部60の作成が容易であるとともに、作成コストも軽減することが可能となる。
なお、レンズ部101を形成する他の方法としては、フィルム100の表面にレンズ型を有する金型を押しつけ、この金型内に上記した塩化ビニールやシリコン樹脂等を充填してもよい。さらに、レンズ部101を形成する他の方法としては、紫外線に反応して硬化する紫外線硬化樹脂塗料を、フィルム100の表面のレンズ部101を形成する位置に盛り上がるように塗布し、紫外線を照射して塗料を凸レンズ状に硬化させてもよい。
【００１７】
また、上記各レンズ部101の上方には、図１に示すように、各入球口に対応して、算用数字で番号103が付されている。本実施例では、図１に示すように、左から順に１〜１６までの番号が付されている。
フィルム100の裏面に形成した遮光部102は、図２に示すように、フィルム100の裏面の前記収納部材90の区画壁91が対向する位置にシルク印刷を施してシルク印刷層104を形成し、さらにシルク印刷層104の裏側からアルミを蒸着してアルミ蒸着層105を形成したものである。この遮光部102により、隣り合うレンズ部101,101が他の発光装置80に干渉されることなく照明されるとともに、入球表示部60に金属的な質感を持たせることで、入球表示部60の装飾性を高めることができる。
【００１８】
なお、レンズ部101…の下方の中央には、入賞により得られた得点を表示するための、７セグメントを用いたデジタル表示部110が設けられている。
【００１９】
【発明の効果】
本発明は、以上のように構成されているので、以下に記載されるような効果を奏する。
請求項１記載のアレンジ式弾球遊技機によれば、入球表示部により打球が入球した入球口を表示する。この入球表示部は、前面にレンズ部を形成したフィルムを、発光装置により後方から照明するもので、発光装置から発せられた光は、レンズ部により拡散されて、遊技者に届く。
【００２０】
したがって、打球が入球した入球口の組み合わせを表示する入球表示部では、発光装置からの光がレンズ部により拡散されて柔らかい光となるとともに、表示に立体感を持たせることができ、入球表示を遊技者にとって見易く、かつ印象的に表示することが可能となる。
また、区画壁に囲まれた上面を、上面壁で各々塞いだことにより、各発光装置からの光が上方に漏れることなく、前面に集中するから、それぞれの発光装置の前面にあるフィルムのレンズ部のみを照明することができ、レンズ部を明るく照らすことができる。
請求項１記載のアレンジ式弾球遊技機によれば、例えフィルムが発光装置からの熱などにより膨張し、区画壁(91…)の端面とフィルム(100)との間に僅かな隙間が生じたとしても、フィルム(100)の遮光部(102)によって光の透過が妨げられるから、他の発光装置(80)が照明すべきフィルム(100)の範囲まで光が漏れることはなく、遊技者が本来点灯していない発光装置が発光していると誤認してしまうことがない。
【図面の簡単な説明】
【図１】本発明に係るアレンジ式弾球遊技機の入球表示部の斜視図である。
【図２】本発明に係るアレンジ式弾球遊技機の概略正面図である。
【図３】本発明に係るアレンジ式弾球遊技機の入球表示部の横断面図である。
【符号の説明】
10  アレンジ式弾球遊技機            20  遊技盤
30  打球発射装置                    40  遊技部
50  入球部                          60  入球表示部
70  フロントパネル                  71  インジェクション板
80  発光装置                        81  基板
90  収納部材                        91  区画壁
92  収納室                         100  フィルム
101  レンズ部                       102  遮光部
103  番号                           104  シルク印刷層
105  アルミ蒸着層                   110  デジタル表示部
【図１】
0003701324.tif 000002
【図２】
0003701324.tif 000003
【図３】
0003701324.tif 000004